(57)【特許請求の範囲】
【請求項１】
所定高さで立設された脚部材に支持される栽培床を有する植物栽培装置において、栽培床側部を越えて成長した果実を受けるために、通路側に突出して設けられる果実受け部材が、アール部又は裾広がりに傾斜する傾斜部を有し、脚部材に連結されるパイプ材と、栽培床の長手方向に隣接する該パイプ材のアール部又は傾斜部に掛け渡されるシートとを有して構成されることを特徴とする植物栽培装置。
【請求項２】
請求項１記載の植物栽培装置であって、前記果実受け部材を構成するパイプ材が、脚部材に対して着脱自在に連結されることを特徴とする植物栽培装置。
【請求項３】
請求項１又は２記載の植物栽培装置であって、前記果実受け部材を構成するパイプ材が、脚部材を中心として回動可能に取り付けられていることを特徴とする植物栽培装置。
【請求項４】
請求項１〜３のいずれか１に記載の植物栽培装置であって、前記果実受け部材は、栽培床が一列の単条式の場合には、通路となる該栽培床両側方に突出するよう設けられることを特徴とする植物栽培装置。
【請求項５】
請求項１〜３のいずれか１に記載の植物栽培装置であって、前記果実受け部材は、栽培床が複数列の多条式の場合には、通路が確保される最も外側に配置される栽培床の外方のみに突出するよう設けられることを特徴とする植物栽培装置。
【請求項６】
請求項１〜５のいずれか１に記載の植物栽培装置であって、前記果実受け部材を構成するシートが、前記栽培床を構成する培地上面を被覆するように設けられることを特徴とする植物栽培装置。
【請求項７】
請求項１〜６のいずれか１に記載の植物栽培装置であって、前記脚部材間に温風ダクトが設けられることを特徴とする植物栽培装置。
【発明の詳細な説明】
【０００１】
【産業上の利用分野】
本発明は、植物栽培装置に関する。
【０００２】
【従来の技術】
従来の植物栽培装置において、果実受け部材を有する装置としては、実開平５−２７９７号や実開平６−８１２３４号に開示されているように複数並列に栽培床が配設され、隣接する栽培床を支持する支持部材相互間に掛け渡された果実受け部材を設けた装置が知られている。
【０００３】
【発明が解決しようとする課題】
しかしながら、上記従来の果実受け部材を有する装置は、栽培床間に果実受け部材を配設するため、複数並列に栽培床が配設されるいわゆる多条式の栽培装置においてのみ有効で、栽培床が一列のいわゆる単条式の植物栽培装置に適用することは不可能であった。従って、単条式の栽培床においては、栽培床側部を乗り越えて成長した果実を垂れ下げた状態で生育させており、果実の重みや栽培床側部と擦れ合うことなどによって、果梗（ランナー）が傷み易く、これにより果実の品質にも悪影響があった。
【０００４】
また、従来の多条式の植物栽培装置の場合においても、果実受け部材を構成するシートを栽培床間に張設することが前提となるため、最も端（外方）に配列される栽培床においては、その内方のみにしか果実受け部材が設けられない。そのため、かかる栽培床において成長する果梗及び果実の全てを一方の果実受け部材上に位置するよう矯正するか、あるいは、果実受け部材が設けられていない通路側に垂下させざるを得なかったが、前者の場合には多くの果実が果実受け部材上に集まるため、果実同士が擦れ合って品質に悪影響が出たり、後者の場合には上記単条式の場合と同様、果梗が傷み易いという問題があった。
【０００５】
本発明は上記した点に鑑みなされたものであり、単条式の植物栽培装置においても、また、多条式の植物栽培装置においても、全ての栽培床で果実を左右に振り分けて受けることができ、果梗及び果実の損傷を少なくすることができ、しかも手入れ作業も行い易くなる植物栽培装置を提供することを課題とする。
【０００６】
【課題を解決するための手段】
上記課題を達成するため、請求項１記載の本発明の植物栽培装置は、所定高さで立設された脚部材に支持される栽培床を有する植物栽培装置において、栽培床側部を越えて成長した果実を受けるために、通路側に突出して設けられる果実受け部材が、アール部又は裾広がりに傾斜する傾斜部を有し、脚部材に連結されるパイプ材と、栽培床の長手方向に隣接する該パイプ材のアール部又は傾斜部に掛け渡されるシートとを有して構成されることを特徴とする。
請求項２記載の本発明の植物栽培装置は、請求項１記載の植物栽培装置であって、前記果実受け部材を構成するパイプ材が、脚部材に対して着脱自在に連結されることを特徴とする。
請求項３記載の本発明の植物栽培装置は、請求項１又は２記載の植物栽培装置であって、前記果実受け部材を構成するパイプ材が、脚部材を中心として回動可能に取り付けられていることを特徴とする。
請求項４記載の本発明の植物栽培装置は、請求項１〜３のいずれか１に記載の植物栽培装置であって、前記果実受け部材は、栽培床が一列の単条式の場合には、通路となる該栽培床両側方に突出するよう設けられることを特徴とする。
請求項５記載の本発明の植物栽培装置は、請求項１〜３のいずれか１に記載の植物栽培装置であって、前記果実受け部材は、栽培床が複数列の多条式の場合には、通路が確保される最も外側に配置される栽培床の外方のみに突出するよう設けられることを特徴とする。
請求項６記載の本発明の植物栽培装置は、請求項１〜５のいずれか１に記載の植物栽培装置であって、前記果実受け部材を構成するシートが、前記栽培床を構成する培地上面を被覆するように設けられることを特徴とする。
請求項７記載の本発明の植物栽培装置は、請求項１〜６のいずれか１に記載の植物栽培装置であって、前記脚部材間に温風ダクトが設けられることを特徴とする。
【０００７】
【発明の実施の形態】
以下、本発明の植物栽培装置を図面に示した実施形態に基づき、さらに詳細に説明する。図１において、１は単条式の植物栽培装置を示すものであり、脚部材２、栽培床３、当該装置おいて図上左右対称に設けられた果実受け部材４等を有して構成されている。
【０００８】
脚部材２は、それぞれ下端を地中に埋設するなどして立設されるものである。また、後述の栽培床３の幅よりもやや大きな間隔をあけて対向して２本一組ずつ、図１上奥行き方向（畝方向）に所定間隔をおいて複数組配設されている。
【０００９】
この脚部材２，２の各上端付近の内側には、図１上奥行き方向に略水平配設される水平パイプ５，５が配設される。そして、栽培床３は、この水平パイプ５，５によって幅方向両端部が支持されて配設される。栽培床３は略Ｕ字状に配設される培地支持シート３ａと、該培地支持シート３ａ内に充填されるロックウール等の培地３ｂとから構成される。なお、培地支持シート３ａを用いずに、アルミニウムなどの金属やプラスチック材を所定形状に加工したもの等、種々のものを用いることができる。符号３ｃは培地支持シート３ａの下部に形成したドレーン部である。
【００１０】
果実受け部材４は、パイプ材４ａとシート４ｄにより構成される。パイプ材４ａは、一端から中途部までが略四分円状のアール部４ｂと、該中途部から他端までが略直線状の直管部４ｃとを有するように曲成されている。なお、アール部４ｂと直管部４ｃとは別部材で構成して接続するようにしてもよい。そして、アール部４ｂが上部に位置し、直管部４ｃが略水平となるよう、各端部が各脚部材２の通路６，７側方向から着脱自在に装着される。その結果、このパイプ材４ａを含む果実受け部材４は、通路６，７側に突出して配設されることになる。また、パイプ材４ａを脚部材２に連結する場合、該脚部材２に対してパイプ材４ａが左右に又はいずれかの方向に回動し得るよう接続することが好ましい。これにより、果実受け部材４の未使用時には、パイプ材４ａをいずれかの方向に回動させて水平パイプ５，５に接近させておけば、作業通路を広く使え、親株に対する手入れ作業が行い易い。
【００１１】
脚部材２におけるパイプ材４ａの接続位置としては、栽培床３を支持する左右の支持部材５を越えて成長する果実を、栽培床３側部の上端位置と略水平又は該上端位置よりもやや下方若しくは上方で受けることができる位置が好ましい。
【００１２】
なお、本実施の形態では、パイプ材４ａとして、緩やかに下方に向かって曲線的に曲成されたアール部４ｂを有するものを用いているが、アール部４ｂに代えて、図２に示したように、裾広がりに約４５度で傾斜する直線的な傾斜部４ｅを有する構成としてもよい。この場合に、パイプ材４ａを脚部材２，２に対して着脱可能に連結したり、脚部材２，２を中心として回動可能に設けることができることは図１に示したものと同様である。また、図２に示した符号９は、脚部材２，２の各上部に取り付けたワイヤやパイプ等からなる補助具である。この補助具９は、各脚部材２，２に取り付けられることから、図上奥行き方向（長手方向）に設けられることになる。そして、この補助具９に沿って紐部材（図示せず）などを配設する。これにより、葉及び茎の部分を、該紐部材より内側すなわち栽培床３上に位置させた状態で、果梗（ランナー）及び果実だけ、果実受け部材４を構成する後述のシート４ｄ上に位置させることができる。なお、この補助具９は、図１に示したもの及び後述の図３に示したものにも適用できることはもちろんである。また、図２における符号４ｆは、傾斜部４ｅの下端付近に形成した溝であり、この溝４ｆには、後述のシート４ｄを支持するシート支持パイプ４ｇが着脱可能に配設される。
【００１３】
シート４ｄは、栽培床３の長手方向（畝方向）に隣接するパイプ材４ａ，４ａ間に掛け渡されて配設される。このシート４ｄは、支持部材５を乗り越えた後、更に下方に向かって伸びようとする果梗に結実する果実を受けることができるものであればよく、例えば、ポリエチレンやポリエステル等のプラスチック、クロムやアルミニウム等の金属からなるストリップを緯糸、経糸と共に編み込んだ網目状の通気性を有するシート等を用いることができる。
【００１４】
また、このシート４ｄは、栽培床３を構成する培地３ｂ上面も被覆して配設してもよく、この場合には、マルチングシートとしても機能することになるため、黒色に着色したビニルシート等を用いることが好ましい。なお、本実施の形態のように、シート４ｄとして、脚部材２，２の両側を覆うことができる程度の長さのものを用いれば、栽培床３の保温上好ましい。この場合、シート４ｄの脚部材２，２の両側を覆っている部分は、脚部材２，２に密着していてもよいし、離れていてもよい。また、シート４ｄにより覆われている脚部材２，２間にさらに温風ダクト８を設けるとより好ましい。このような構成とすることで、培地３ｂ内に保温、加温のための温湯管を別途設ける必要がなく、また、果実を受けるシート４ｄも加温できるため、果実の着色をより良好なものとすることができる。
【００１５】
本実施の形態によれば、栽培床３の側部を越えて成長した果実を、２つの通路６，７方向へ適宜数ずつ振り分けて、該通路６，７方向へ突出する果実受け部材４上で保持し得るように栽培する。従って果実の重みや栽培床側部を擦れ合うことによる果梗の損傷を防止できる。
【００１６】
図３は並列して複数配設される栽培床を有する多条式の植物栽培装置１０の実施の形態を示す図である。各条を構成する栽培装置１１，１２の構成は、それぞれが、脚部材２０及び栽培床３０を有する点では、上記実施の形態で説明した単条式のものと同じである。但し、本実施の形態では、果実受け部材４０が各栽培床３０の外側（通路６０，７０側）のみにしか設けられていない点で異なる。これは、従来の技術の項でも説明したとおり、隣接する栽培床３０，３０間には従来公知の果実支持シート８０が張設されるため、パイプ材４０ａとシート４０ｄとからなる果実受け部材４０を別途配設するまでもないことによる。
【００１７】
ここで図３においては２列に栽培床３０が配設される２条式の栽培装置１０を例示するが、栽培床３０は３列以上配設することもできる。但し、温室内における栽培面積をできるだけ広くするため、栽培床３０，３０間の間隔はできるだけ狭いことが好ましいが、栽培床３０で成長して果実支持用シート８０上に向かうそれぞれの果実同士が接触しない程度の間隔は維持する必要がある。また、作業者が最外方に配設される栽培床３０，３０の外方の通路６０，７０に立って、果実支持用シート８０の略中央付近で成長する果実に触れて作業することを可能とすることも考慮すると複数列といっても２〜３列にとどめることが好ましい。
【００１８】
尚、３列の栽培床を一組とする場合には、隣接する栽培床３０の相互間には果実支持用シート８０を張設し、最も外側に配設される栽培床の外方のみ（通路６０，７０側）に位置する脚部材２０に果実受け部材４０を配設することはもちろんである。
【００１９】
本実施の形態によれば、隣接する栽培床３０間に張設される果実支持用シート８０上で果実を保持できることはもちろんのこと、従来、栽培床３０の側部に沿って果梗を垂れ下げざるを得なかった多条の植物栽培装置１０の最も外側に配設される栽培床３０の外方（通路側）でも果実受け部材４０によって果実を垂れ下げることなく保持できる。
【００２０】
なお、果実支持用シート８０と果実受け部材４０のシート４０ｄとは一体のものであってもよい。また、上記した実施の形態と同様、温風ダクト９０を配設することもできる。さらに、図３では、パイプ材４０ａとして、図１に示したものと同様のものを使用しているが、図２に示したものと同様のものであってもよい。
【００２１】
【発明の効果】
本発明の植物栽培装置は単条式、多条式のいずれにおいても通路側に突出する果実受け部材を有するので、各栽培床から果実が左右いずれの方向へ成長しても、果実の自重等による果梗の損傷を少なくすることができる。また、従来の栽培床側部で垂れ下げて成長させる場合と比較して、果実への日照条件も良好となる。従って、果実の品質及び収穫効率を向上させることができる。更に、従来の栽培床側部に垂れ下げる場合と比較して、結実位置が高所となるため、手入れ作業が行い易くなり作業負担も軽減される。
【図面の簡単な説明】
【図１】図１は、本発明の一の実施の形態に係る植物栽培装置を示す正面図である。
【図２】図２は、上記実施の形態に係る植物栽培装置の他の例を示す正面図である。
【図３】図３は、本発明の他の実施の形態に係る植物栽培装置を示す正面図である。
【符号の説明】
１    単条式の植物栽培装置
２    脚部材
３    栽培床
３ａ  培地支持シート
３ｂ  培地
３ｃ  ドレーン
４    果実受け部材
４ａ  パイプ材
４ｂ  アール部
４ｃ  直管部
４ｄ  シート
４ｅ  直線部
５    支持部材
６    通路
７    通路
１０  多条式の植物栽培装置
２０  脚部材
３０  栽培床
４０  果実受け部材
４０ａ  パイプ材
４０ｂ  アール部
４０ｃ  直管部
４０ｄ  シート
５０  支持部材
６０  通路
７０  通路
８０  果実支持シート
【図１】
0003918164.tif 000002
【図２】
0003918164.tif 000003
【図３】
0003918164.tif 000004